(57)【特許請求の範囲】
【請求項１】
ケーシングと、前記ケーシング内に設置される振動部材と、前記ケーシング内に固定されるコイルと、前記振動部材を弾性支持するための弾性コネクターとを備える二重共振振動モーターであって、前記振動部材は、重量ブロックと、前記重量ブロック内に収容される第１の磁石鋼セット及び第２の磁石鋼セットとを備え、前記コイルと前記第１の磁石鋼セット及び第２の磁石鋼セットとが対向して設置され、前記第１の磁石鋼セットと前記コイルによって発生する駆動力は、該二重共振振動モーターを第１の方向に振動させ、前記第２の磁石鋼セットと前記コイルによって発生する駆動力は、該二重共振振動モーターを第２の方向に振動させ、前記第１の方向と前記第２の方向とが交差し、
前記弾性コネクターは、第１の弾性コネクター及び第２の弾性コネクターを備え、前記ケーシングは、対向して設置されている第１の側壁及び第２の側壁を備え、前記重量ブロックは、前記第１の側壁に近い第１の側部及び前記第２の側壁に近い第２の側部を備え、前記第１の弾性コネクターは、前記重量ブロックの第２の側部の両端にそれぞれ接続される第１の固定部と、２つの前記第１の固定部を接続する第１の接続部とを備え、前記第１の接続部が前記第１の側壁に接続され、前記第２の弾性コネクターは、前記重量ブロックの第１の側部の両端にそれぞれ接続される第２の固定部と、２つの前記第２の固定部を接続する第２の接続部とを備え、前記第２の接続部が前記第２の側壁に接続されることを特徴とする二重共振振動モーター。
【請求項２】
前記第１の磁石鋼セットは、間隔を置いて対向して設置される２つの第１の磁石鋼を備え、前記第２の磁石鋼セットは、間隔を置いて対向して設置される２つの第２の磁石鋼を備え、２つの前記第１の磁石鋼が対向する方向と２つの前記第２の磁石鋼が対向する方向とが交差することを特徴とする請求項１に記載の二重共振振動モーター。
【請求項３】
前記コイルは、略長方形であり、エンドレス接続されている第１の側辺、第２の側辺、第３の側辺及び第４の側辺を有し、２つの前記第１の磁石鋼は、それぞれ前記第１の側辺及び第３の側辺に対向して設置され、２つの前記第２の磁石鋼は、それぞれ前記第２の側辺及び第４の側辺に対向して設置されることを特徴とする請求項２に記載の二重共振振動モーター。
【請求項４】
前記第１の方向と前記第２の方向とが直交することを特徴とする請求項１に記載の二重共振振動モーター。
【請求項５】
該二重共振振動モーターは、前記第１の磁石鋼セット及び前記第２の磁石鋼セットを被覆すると共に前記重量ブロックに接続される極コアをさらに備えることを特徴とする請求項１に記載の二重共振振動モーター。
【請求項６】
前記ケーシングは、上蓋と、前記上蓋とともに収容空間を形成する蓋板を備え、前記コイルが前記蓋板に固定接続されることを特徴とする請求項１に記載の二重共振振動モーター。
【発明の詳細な説明】
【技術分野】
【０００１】
本発明は、消耗性電子用の振動モーターに関し、特に二重共振振動モーターに関する。
【背景技術】
【０００２】
電子技術の発展に伴い、携帯型の消耗性電子製品、例えば、携帯電話、携帯ゲーム機、ナビゲーション装置又は携帯型マルチメディア娯楽設備などは、ますます人々に好まれるようになる。これらの電子製品では、例えば携帯電話の着信提示、情報提示、ナビ提示、ゲーム機の振動フィードバックなどのようなシステムフィードバックとして、通常に振動モーターが用いられている。このような幅広い応用では、性能が良好で、使用寿命が長く、サイズが小さい振動モーターが要求されている。
【０００３】
現在、携帯型の消耗性電子製品に応用される振動モーターとして、一般的に、ケーシングと、前記ケーシングと組み合わせて収納空間を形成する基台と、当該収納空間内に収容固定される単一の振動システムとを備える。１つの振動システムは、１つの固有共鳴周波数しか有していないため、このような従来の構成の振動モーターも１つの共振周波数しか有していない。このような振動モーターを応用する１つの端末は、２つの共振周波数を実現する必要がある場合、２つの振動モーターを使用しなければならない。そうすると、振動モーターが占める空間は大幅に広くなり、現に端末が小型化にする発展の傾向に不利である。
【０００４】
そのため、前記欠点を克服ために新規振動モーターを提供することが必要である。
【発明の概要】
【発明が解決しようとする課題】
【０００５】
本発明の目的は、２つの方向の駆動力を供給可能であると共に２種類の共振周波数を有する二重共振振動モーターを提供することである。
【課題を解決するための手段】
【０００６】
本発明は、以下の通りである。ケーシングと、前記ケーシング内に設置される振動部材と、前記ケーシング内に固定されるコイルと、前記振動部材を弾性支持するための弾性コネクターとを備える二重共振振動モーターであって、前記振動部材は、重量ブロック、前記重量ブロック内に収容される第１の磁石鋼セット及び第２の磁石鋼セットを備え、前記コイルと前記第１の磁石鋼セット及び第２の磁石鋼セットとが対向して設置され、前記第１の磁石鋼セットと前記コイルによって発生する駆動力は、該二重共振振動モーターを第１の方向に振動させ、前記第２の磁石鋼セットと前記コイルによって発生する駆動力は、該二重共振振動モーターを第２の方向に振動させ、前記第１の方向と前記第２の方向とが交差する。
【０００７】
好ましくは、前記第１の磁石鋼セットは、間隔を置いて対向して設置される２つの第１の磁石鋼を備え、前記第２の磁石鋼セットは、間隔を置いて対向して設置される２つの第２の磁石鋼を備え、２つの前記第１の磁石鋼を接続する線と２つの前記第２の磁石鋼を接続する線とが交差する。
【０００８】
好ましくは、前記コイルは、略長方形であり、エンドレス接続されている第１の側辺、第２の側辺、第３の側辺及び第４の側辺を有し、２つの前記第１の磁石鋼は、それぞれ前記第１の側辺及び第３の側辺に対向して設置され、２つの前記第２の磁石鋼は、それぞれ前記第２の側辺及び第４の側辺に対向して設置される。
【０００９】
好ましくは、前記第１の方向と前記第２の方向とが直交する。
【００１０】
好ましくは、前記弾性コネクターは、第１の弾性コネクター及び第２の弾性コネクターを備え、前記ケーシングは、対向して設置されている第１の側壁及び第２の側壁を備え、前記重量ブロックは、前記第１の側壁に近い第１の側部及び前記第２の側壁に近い第２の側部を備え、前記第１の弾性コネクターは、前記重量ブロックの第２の側部の両端にそれぞれ接続される第１の固定部と、２つの前記第１の固定部を接続する第１の接続部とを備え、前記第１の接続部が前記第１の側壁に接続され、前記第２の弾性コネクターは、前記重量ブロックの第１の側部の両端にそれぞれ接続される第２の固定部と、２つの前記第２の固定部を接続する第２の接続部とを備え、前記第２の接続部が前記第２の側壁に接続される。
【００１１】
好ましくは、該二重共振振動モーターは、前記第１の磁石鋼セット及び前記第２の磁石鋼セットを被覆すると共に前記重量ブロックに接続される極コアをさらに備える。
【００１２】
好ましくは、前記ケーシングは、上蓋と、前記上蓋とともに収容空間を形成する蓋板を備え、前記コイルが前記蓋板に固定接続される。
【発明の効果】
【００１３】
本発明の有益な効果は、以下の通りである。２つの異なる方向においてそれぞれ１つの共振周波数を有し、この２つの異なる共振周波数は、単独で振動することが可能であり、同時に振動して、異なる振動方向の制御を実現することも可能である。しかも、１つの振動部材及び１つの音声コイルを利用するだけで二重共振を実現でき、構成が簡単である。
【図面の簡単な説明】
【００１４】
【図１】本発明に係る二重共振振動モーターの構成分解図である。
【図２】本発明に係る二重共振振動モーターの上蓋及び極コアが取り外された正面図である。
【発明を実施するための形態】
【００１５】
以下、図面および実施形態を参照しながら本発明をさらに説明する。
【００１６】
図１及び図２に示すように、二重共振振動モーター１００は、ケーシングと、ケーシング内に設置される振動部材１０３と、ケーシング内に固定されるコイル１０４と、振動部材１０３をケーシング内に弾性支持するための弾性コネクターとを備える。ケーシングは、上蓋１０１と、上蓋１０１とともに収容空間を形成する蓋板１０２を備える。上蓋１０１は、平行に対向設置されている第１の側壁１０１Ａと第２の側壁１０１Ｂ、及び第１の側壁１０１Ａと第２の側壁１０１Ｂとに連結されている第３の側壁１０１Ｃと第４の側壁１０１Ｄを有する。第３の側壁１０１Ｃと第４の側壁１０１Ｄは、平行に対向設置されている。
【００１７】
振動部材１０３は、重量ブロック１０３Ａ、重量ブロック１０３Ａに収容される第１の磁石鋼セット１０３Ｂ及び第２の磁石鋼セット１０３Ｃを備える。第１の磁石鋼セット１０３Ｂは、対向して設置される一対の第１の磁石鋼を備え、第２の磁石鋼セット１０３Ｃは、対向して設置される一対の第２の磁石鋼を備える。該二重共振振動モーター１００は、さらに第１の磁石鋼セット１０３Ｂ及び第２の磁石鋼セット１０３Ｃを被覆する極コア１０７を備える。
【００１８】
本実施例において、コイル１０４は、略長方形であり、エンドレス接続（ｃｏｎｎｅｃｔｅｄ  ｅｎｄ  ｔｏ  ｅｎｄ）されている第１の側辺、第２の側辺、第３の側辺及び第４の側辺を有する。２つの第１の磁石鋼は、それぞれ第１の側辺及び第３の側辺に対向して設置されると共に、２つの第２の磁石鋼は、それぞれ第２の側辺及び第４の側辺に対向して設置されるため、２つの第１の磁石鋼の接続線と２つの第２の磁石鋼の接続線とが垂直に交差する。コイル１０４に通電するときに、コイル１０４と第１の磁石鋼セット１０３Ｂとの間に第１の方向の駆動力が発生し、コイル１０４と第２の磁石鋼セット１０３Ｃとの間に第２の方向の駆動力が発生する。第１の方向（即ち、Ｘ方向）と第２の方向（即ち、Ｙ方向）とも垂直に交差する。コイル１０４はリング状であってもよいが、コイル１０４が略長方形の形状であり、且つ一対の第１の磁石鋼及び一対の第２の磁石鋼とコイルの四つの辺とがこのような対応関係にある場合、磁界効率が最高となる。
【００１９】
当該振動部材１０３は、Ｘ方向に１つの共振周波数ｆ１を有し、Ｙ方向に１つの共振周波数ｆ２を有する。ある周波数信号がコイル１０４に入力されるときに（例えばｆ１）、振動部材１０３は、Ｘ、Ｙ方向の両方において力を受ける。周波数ｆ１とｆ２が大きく相違するときに、振動部材１０３は、共振方向において振幅が一番大きく、振動感が比較的大きく、一方、非共振方向において振幅が極めて小さく、振動感が無視されてもよい。
【００２０】
以上に記述したように、ｆ１の周波数の信号がコイル１０４に入力されたときに、振動部材１０３は、Ｘ方向に共鳴し、振動部材１０３がＸ方向の駆動力によって駆動される場合、その振動は１つの共振周波数ｆ１を有する。このとき、Ｙ方向においてｆ１の周波数の駆動力で振動させられ、振幅が極めて小さく、振動感は無視されても良い。
【００２１】
ｆ２の周波数の信号がコイル１０４に入力されたときに、振動部材１０３は、Ｙ方向に共鳴し、振動部材１０３がＹ方向の駆動力によって駆動されたときに、その振動は１つの共振周波数ｆ２を有する。このとき、Ｘ方向においてｆ２の周波数の駆動力で振動させられ、振幅が極めて小さく、振動感は無視されても良い。
【００２２】
周波数ｆ１及び周波数ｆ２の信号が同時にコイル１０４に入力されたときに、２つの共振周波数が同時に動作することが可能であり、即ち、Ｘ方向のｆ１の周波数の振動感があれば、Ｙ方向のｆ２の周波数の振動感もあり、相互に影響しない。このとき、両方向の振動の組み合わせによって、異な方向の振動制御が実現できる。
【００２３】
重量ブロック１０３Ａは、第１の側壁１０１Ａに近い第１の側部１０３１Ａ及び第２の側壁１０１Ｂに近い第２の側部１０３２Ａを有する。弾性コネクターは、第１の弾性コネクター１０８及び第２の弾性コネクター１０９を備える。第１の弾性コネクター１０８は、第２の側部１０３２Ａの両端にそれぞれ接続される第１の固定部１０８Ａと、２つの第１の固定部１０８Ａを連結する第１の接続部１０８Ｂとを含み、第１の接続部１０８Ｂには２つの屈曲部１０８Ｃが存在している。この２つの屈曲部１０８Ｃは、それぞれ第３の側壁１０１Ｃ及び第４の側壁１０１Ｄに当接してもよく、第３の側壁１０１Ｃ及び第４の側壁１０１Ｄとの間にギャップが存在してもよい。第１の接続部１０８Ｂと第１の側壁１０１Ａとが固定接続される。第２の弾性コネクター１０９は、第１の側部１０３１Ａの両端にそれぞれ接続される第２の固定部１０９Ａと、２つの第２の固定部１０９Ａを接続する第２の接続部１０９Ｂとを備え、第２の接続部１０９Ｂには２つの屈曲部１０９Ｃが存在している。この２つの屈曲部１０９Ｃは、それぞれ第３の側壁１０１Ｃ及び第４の側壁１０１Ｄに当接してもよく、第３の側壁１０１Ｃ及び第４の側壁１０１Ｄとの間にギャップが存在してもよい。第２の接続部１０９Ｂと第２の側壁１０１Ｂとが固定接続される。各弾性コネクターはそれぞれ重量ブロック１０３Ａの両端に固定され、このような構成により、振動部材１０３が振動方向に直交する方向への変位は抑制されることができ、単一方向の振動の安定性を確保できる。
【００２４】
該二重共振振動モーター１００は、２つの異なる方向においてそれぞれ１つの共振周波数を有し、この２つの異なる共振周波数は、単独で振動することが可能であり、同時に振動して、異なる振動方向の制御を実現することも可能である。しかも、１つの振動部材及び１つの音声コイルを利用するだけで二重共振を実現でき、構成が簡単で、振動安定性が高い。
【００２５】
以上に記述されたのは本発明の実施形態に過ぎない。なお、当業者にとっては、本発明の創造思想を逸脱しない前提で、改良を行うことができ、それは全て本発明の保護範囲に属する。
【符号の説明】
【００２６】
１００  二重共振振動モーター
１０１  上蓋
１０１Ａ  第１の側壁
１０１Ｂ  第２の側壁
１０１Ｃ  第３の側壁
１０１Ｄ  第４の側壁
１０２  蓋板
１０３  振動部材
１０３Ａ  重量ブロック
１０３Ｂ  第１の磁石鋼セット
１０３Ｃ  第２の磁石鋼セット
１０４  コイル
１０７  極コア
１０８  第１の弾性コネクター
１０８Ａ  第１の固定部
１０８Ｂ  第１の接続部
１０８Ｃ  屈曲部
１０９  第２の弾性コネクター
１０９Ａ  第２の固定部
１０９Ｂ  第２の接続部
１０９Ｃ  屈曲部
１０３１Ａ  第１の側部
１０３２Ａ  第２の側部
【図１】
0006386496.tif 000002
【図２】
0006386496.tif 000003